(57)【要約】【課題】    受入れが禁止された貨幣もしくは有価価値の投入操作を検出し、検出情報に基づいて多様なサービスを行う自動販売機を提供する。【解決手段】  コインメック主制御部１１０は、受入れ禁止に設定された金種の投入を硬貨識別装置１０２で検出すると、コインメック外部接続部１１１を介して自動販売機主制御部５０１に検出情報を出力し、ビルバリデータ制御部２０１は、紙幣９２の受入れが禁止された状態での紙幣投入を挿入検出部２０２にて検出すると検出情報を自動販売機主制御部５０１に通知する。自動販売機主制御部５０１は、コインメック１００、ビルバリデータ２００から受信した受入れ禁止貨幣の投入に関するログ情報を自動販売機記憶部５０５に記録し、ガイダンス用の音声ファイルを音声出力制御部７００にて再生してスピーカ７０１に出力し、表示部６０１へのガイダンス表示制御を表示制御部６００にて行う。【選択図】  図１
2006011530.tif 000002
【特許請求の範囲】
【請求項１】
貨幣の投入若しくはカードを用いた有価価値の入力により商品の販売若しくはサービスの提供を行う自動販売機において、
前記貨幣若しくは前記有価価値の受入禁止状態にある場合における前記貨幣の投入若しくは前記有価価値の入力を検出する検出手段と、
前記検出手段の検出出力に基づき所定の報知を行う報知手段と
を具備することを特徴とする自動販売機。
【請求項２】
硬貨の投入を受け付けて処理するとともに、受け入れ禁止状態にある硬貨を返却する返却処理を行う硬貨処理手段と、
前記硬貨処理手段と通信して前記商品の販売若しくはサービスの提供を制御する制御手段と
を具備し、
前記検出手段は、
前記制御手段からの信号により若しくは前記硬貨処理手段の状態により特定の硬貨若しくは全ての硬貨の受入禁止状態にある場合において投入された受け入れ禁止対象の硬貨の投入を検出して前記制御手段に通知し、
前記報知手段は、
前記制御手段の制御により前記所定の報知を行う
ことを特徴とする請求項１記載の自動販売機。
【請求項３】
紙幣の投入を受け付けて処理する紙幣処理手段と、
前記紙幣処理手段と通信して前記商品の販売若しくはサービスの提供を制御する制御手段と
を具備し、
前記検出手段は、
前記制御手段からの信号により若しくは前記紙幣処理手段の状態により紙幣の受入禁止状態にある場合において投入された紙幣を検出して前記制御手段に通知し、
前記報知手段は、
前記制御手段の制御により前記所定の報知を行う
ことを特徴とする請求項１記載の自動販売機。
【請求項４】
カードから入力された有価価値を処理するカード処理手段と、
前記カード処理手段と通信して前記商品の販売若しくはサービスの提供を制御する制御手段と
を具備し、
前記検出手段は、
前記制御手段からの信号により若しくは前記カード処理手段の状態によりカードからの有価価値の入力の受入禁止状態にある場合においてカードからの有価価値の入力を検出して前記制御手段に通知し、
前記報知手段は、
前記制御手段の制御により前記所定の報知を行う
ことを特徴とする請求項１記載の自動販売機。
【請求項５】
前記報知手段は、
前記貨幣若しくは前記有価価値の受入禁止状態を解除するための操作手順を報知する
ことを特徴とする請求項１乃至４のいずれかに記載の自動販売機。
【請求項６】
前記報知手段は、
前記貨幣の投入若しくはカードを用いた有価価値の入力による商品の販売若しくはサービスの提供の不可状態にあることを報知する
ことを特徴とする請求項１乃至４のいずれかに記載の自動販売機。
【請求項７】
前記報知手段は、
前記貨幣の投入若しくはカードを用いた有価価値の入力による商品の販売若しくはサービスの提供を可能にする操作を報知する
ことを特徴とする請求項１乃至４のいずれかに記載の自動販売機。
【請求項８】
前記検出手段の検出結果を履歴情報として記憶管理する管理手段
を更に具備することを特徴とする請求項１乃至７のいずれかに記載の自動販売機。
【請求項９】
前記検出手段および前記報知手段の少なくとも一方は、
貨幣の投入若しくはカードを用いた有価価値の入力を受け付けて処理する処理手段に接続されたアダプタ装置に設けられる
ことを特徴とする請求項１記載の自動販売機。
【請求項１０】
前記アダプタ装置は、
前記検出手段の検出結果を履歴情報として記憶管理する管理手段
を具備することを特徴とする請求項９記載の自動販売機。
【請求項１１】
前記検出手段における検出情報の出力、停止を制御する切替え手段を
さらに具備する
ことを特徴とする請求項１記載の自動販売機。
【発明の詳細な説明】
【技術分野】
【０００１】
本発明は、貨幣の投入若しくはカードを用いた有価価値の入力により商品の販売若しくはサービスの提供を行う自動販売機に関し、特に、受け入れが禁止された貨幣あるいは有価価値の投入、もしくは、偽貨、偽の紙幣の投入を検出し、検出した情報に基づいて多様なサービス機能を提供する自動販売機の制御に関する。
【背景技術】
【０００２】
自動販売機の硬貨識別制御における投入硬貨の受け入れを禁止するための従来技術として、特許文献１記載の「自動販売機の硬貨投入枚数制限装置」が開示されている。
【０００３】
この特許文献１の発明は、金種別に設定した硬貨の投入枚数が、予め設定した上限値を超えたときおよびコインチューブ内の硬貨が満杯となったことを検知すると、投入硬貨の受入れを拒否するものである。
【０００４】
また、投入硬貨の受け入れを禁止する別の従来技術として、特許文献２記載の「自動販売機の釣り銭搾取防止制御方法、及び、自動販売機の釣り銭搾取防止制御装置」が開示されている。
【０００５】
この特許文献２の発明は、同一金種の貨幣が予め設定した間隔よりも短い間隔で、かつ、受入れられた硬貨の枚数が制限値を超えた場合、一定の間、その金種の貨幣の受入れ、釣銭払い出しを停止する制御を行うものである。
【０００６】
一方、貨幣鑑別装置が主制御部との通信を行って、貨幣の受入れを禁止を制御する技術として、特許文献３記載の「親子式貨幣識別装置」が開示されている。
【０００７】
この特許文献３の発明は、貨幣受入れ、釣銭払出等の販売に関わる一連の貨幣制御処理を分担して行う従制御部としての２台の貨幣鑑別装置が主制御と信号線にて接続し、さらに、２台の貨幣鑑別装置においても相互に接続して交信可能な構成を有し、２台の貨幣鑑別装置のうち、先に硬貨が投入された装置に主制御部との交信権を与え、２台同時に貨幣が投入された場合は、予め設定した親側のコインメックに交信権を与えるようにして、交信権が与えられなかった側の貨幣鑑別装置は、貨幣の受入れを禁止する制御を行う。
【０００８】
上記の特許文献以外の自動販売機として、専用のカード等を用いた認証処理にて許可された場合においてのみ、タバコ、酒類等の成人を対象にした商品を販売するといった自動販売機が開発されている。
【０００９】
また、高額紙幣を使用可能にした自動販売機や、有価価値を記憶したカードや携帯端末等を操作して代金支払いを行うことができる自動販売機が開発されている。
【特許文献１】特公平３−３２８３４号公報。
【特許文献２】特開平１１−２２４３６７号公報。
【特許文献３】特許第３１１１５９４号公報。
【発明の開示】
【発明が解決しようとする課題】
【００１０】
最近の自動販売機は、購入代金の支払い形態が多様化することに伴い、投入された貨幣、もしくは有価価値の受入れを禁止する理由も、従来の販売中止や、釣り銭切れ以外に多岐にわたる傾向がある。
【００１１】
投入された貨幣、もしくは有価価値を記録したカードを自動販売機が返却するのは、必ずしも商品の販売ができない状態とは限らず、適切な購入操作をやり直したり、返却された金種以外の貨幣を投入する等、商品の購入（販売）が可能なケースも存在する。
【００１２】
しかし、上記各特許文献を始め、従来の自動販売機における貨幣の受入れ禁止制御は、投入された貨幣あるいは有価価値を記録したカードを単に返却口に戻す制御を行って、利用者は返却された原因を独自で判断するのが現状となっている。
【００１３】
利用者が投入された貨幣もしくは有価価値を記録したカードの返却理由を適切に理解しなければ、自動販売機の故障と誤解して商品の購入を諦めたり、投入操作を何度も繰り返して必要以上に自動販売機を占有する等、利用者および自動販売機にて商品を販売する側双方にとって、商品の購入（販売）機会を逸する要因となり、不利益をもたらすといった問題を生じる。
【００１４】
また、利用者が盲人の場合は、返却した原因を認識するための情報が無いので、独自で解決することは非常に困難である。
【００１５】
よって、本発明は、受入れを禁止した貨幣あるいは有価価値の投入を検出して、検出した情報に基づいて多様なサービスを行うことができる自動販売機を提供することを目的とする。
【課題を解決するための手段】
【００１６】
上記目的を達成するために、請求項１の発明は、貨幣の投入若しくはカードを用いた有価価値の入力により商品の販売若しくはサービスの提供を行う自動販売機において、貨幣若しくは有価価値の受入れを禁止した状態での貨幣の投入若しくは有価価値の入力を検出する検出手段と、検出手段の検出出力に基づき所定の報知を行う報知手段とを具備することを特徴とする。
【００１７】
また、請求項２の発明は、請求項１の発明において、硬貨の投入を受け付けて処理するとともに、受入れ禁止状態にある硬貨を返却する返却処理を行う硬貨処理手段と、硬貨処理手段と通信して商品の販売若しくはサービスの提供を制御する制御手段とを具備し、検出手段は、制御手段からの信号により若しくは硬貨処理手段の状態により特定の硬貨若しくは全ての硬貨の受入れ禁止状態にある場合において投入された受入れ禁止対象の硬貨の投入を検出して制御手段に通知し、報知手段は、制御手段の制御により所定の報知を行うことを特徴とする。
【００１８】
また、請求項３の発明は、請求項１の発明において、紙幣の投入を受け付けて処理する紙幣処理手段と、紙幣処理手段と通信して商品の販売若しくはサービスの提供を制御する制御手段とを具備し、検出手段は、制御手段からの信号により若しくは紙幣処理手段の状態により紙幣の受入れ禁止状態にある場合において投入された紙幣を検出して制御手段に通知し、報知手段は、制御手段の制御により所定の報知を行うことを特徴とする。
【００１９】
また、請求項４の発明は、請求項１の発明において、カードから入力された有価価値を処理するカード処理手段と、カード処理手段と通信して商品の販売若しくはサービスの提供を制御する制御手段とを具備し、検出手段は、制御手段からの信号により若しくはカード処理手段の状態によりカードからの有価価値の入力の受入れ禁止状態にある場合においてカードからの有価価値の入力を検出して制御手段に通知し、報知手段は、制御手段の制御により所定の報知を行うことを特徴とする。
【００２０】
また、請求項５の発明は、請求項１及至４のいずれかの発明において、報知手段は、貨幣若しくは有価価値の受入れ禁止状態を解除するための操作手順を報知することを特徴とする。
【００２１】
また、請求項６の発明は、請求項１及至４のいずれかの発明において、報知手段は、貨幣の投入若しくはカードを用いた有価価値の入力による商品の販売若しくはサービスの提供の不可状態にあることを報知することを特徴とする。
【００２２】
また、請求項７の発明は、請求項１及至４のいずれかの発明において、報知手段は、貨幣の投入若しくはカードを用いた有価価値の入力による商品の販売若しくはサービスの提供を可能にする操作を報知することを特徴とする。
【００２３】
また、請求項８の発明は、請求項１乃至７のいずれかの発明において、検出手段の検出結果を履歴情報として記憶管理する管理手段を更に具備することを特徴とする。
【００２４】
また、請求項９の発明は、請求項１の発明において、検出手段および報知手段の少なくとも一方は、貨幣の投入若しくはカードを用いた有価価値の入力を受け付けて処理する処理手段に接続されたアダプタ装置に設けられることを特徴とする。
【００２５】
また、請求項１０の発明は、請求項９記載の発明において、アダプタ装置は、検出手段の検出結果を履歴情報として記憶管理する管理手段を具備することを特徴とする。
【００２６】
また、請求項１１の発明は、請求項１の発明において、検出手段における検出情報の出力、停止を制御する切替え手段をさらに具備することを特徴とする。
【発明の効果】
【００２７】
本発明によれば、受入れ禁止が設定された貨幣もしくは有価価値の投入、偽の貨幣の投入を検出し、検出した情報に基づいて、ログを記録したり、音声ガイダンス、操作案内の表示等の機能を提供することができる。
【００２８】
これにより、投入された貨幣もしくは有価価値を記憶したカード等を返却した理由、もしくは適切な操作を利用者に報知することができ、販売機会を逸することを防止することができる。
【００２９】
また、受入れが禁止された貨幣もしくは有価価値を投入した検出信号、ログの情報に基づいて過去の検出状況等を把握することができ、自動販売機の故障解析を容易にして、自動販売機の保守性を向上させることができる。
【発明を実施するための最良の形態】
【００３０】
以下、本発明の自動販売機について添付図面を参照しながら詳細に説明する。
【実施例１】
【００３１】
図１は、本発明の自動販売機における実施の形態として、自動販売機の第１の制御構成を示したブロック図である。
【００３２】
（自動販売機の概要）
図１に示した自動販売機５００は、成人に対してのみ販売が許可される酒類、タバコ等の商品８０１を販売する自動販売機の例である。
【００３３】
利用者が商品８０１を購入する場合、購入前操作として、認証用カード読み取り装置４００にて読み取られた認証用カード４０１のデータおよび暗証番号等の入力情報による成人認証によって許可された場合のみ、商品選択ボタン５０３による商品８０１の選択操作、ビルバリデータ２００、コインメック１００に対して硬貨９１、紙幣９２の投入操作が許可され、商品を購入することが可能な装置である。
【００３４】
また、自動販売機５００は、現金以外による代金の支払い方法として、プリペードカード等予め金額情報を記憶した有価価値記憶カード３０１を有価価値読み取り装置３００にて読み取る操作を行うことで、自動販売機５００に対して代金の投入を行うことが可能である。
【００３５】
（自動販売機の構成）
自動販売機５００は、自動販売機５００全体を制御する自動販売機主制御部５０１に、コインメック１００、ビルバリデータ２００、有価価値読み取り装置３００、認証用カード読み取り装置４００、表示制御部６００、音声出力制御部７００、商品販売制御部８００、商品選択ボタン５０３、取消しボタン５０４等が、シリアル通信用ケーブル５０２にて接続して構成される。
【００３６】
自動販売機記憶部５０５は、自動販売機５００の販売制御を行うための制御プログラム、制御情報、商品販売処理における投入金額等の一時的な処理データ、商品販売制御部８００にて販売する商品の価格等を記録したマスタデータ、商品の在庫情報、自動販売機５００を保守点検するためのログ情報、購入操作等を音声にてアナウンスする音声データを記録した音声ファイル、貨幣の返却理由などを示す表示用データを記憶して管理する。
【００３７】
ログ情報は、投入された貨幣の金種、カードの読み取りデータ、ログ採取時の自動販売機５００の状態、コインメック１００、ビルバリデータ２００の受入れ禁止設定状況、貨幣の貯留情報、受入れ禁止貨幣の返却理由等を記録する。
【００３８】
コインメック１００は、自動販売機５００に対する代金の支払いを硬貨９１にて行うための硬貨識別装置であり、投入された硬貨９１の正偽貨識別制御、金種ごとの受入れ禁止制御、投入硬貨の貯留、返却、収容、払出しを制御する。
【００３９】
また、コインメック１００は、投入した硬貨が次の条件に一致する場合において、硬貨の受入れを禁止する制御を行う。（１）受入れ禁止が設定された金種。（２）釣り銭切れに伴う受入れ不可金種。（３）エスクロ設定枚数上限値の超過。（４）投入総額の上限額超過。（５）全金種受入れ禁止による自動返却。（６）同一硬貨連続投入枚数の超過。
【００４０】
ビルバリデータ２００は、自動販売機５００に対する代金の支払いを紙幣にて行うための紙幣識別装置であり、投入された紙幣が真券であるか否かの識別処理、紙幣の受入れ禁止制御、紙幣の貯留、収容、返却を制御する。
【００４１】
有価価値読み取り装置３００は、有価価値記憶カード３０１に記録された金額情報の読み取り、書換え制御、読み取り禁止、禁止解除の制御を行う装置である。
【００４２】
認証用カード読み取り装置４００は、認証用カード４０１に記録された成人認証に必要なカード情報の読み取り手段と、パスワードの入力手段を具備し、成人認証処理を行った結果を自動販売機主制御部５０１に出力する。
【００４３】
商品選択ボタン５０３は、利用者が選択した商品を自動販売機５００に通知するための入力装置であり、選択した商品の識別情報が、ボタン押下信号として自動販売機主制御部５０１に出力される。
【００４４】
取消しボタン５０４は、販売操作を中止して、コインメック１００に投入した硬貨９１、ビルバリデータ２００に投入した紙幣９２、もしくは、有価価値読み取り装置３００に挿入した有価価値記憶カード３０１の返却を、自動販売機５００に対して指示するためのユーザインターフェースであり、ボタン押下を示す検出信号を自動販売機主制御部５０１に出力する。
【００４５】
表示制御部６００は、従来の自動販売機と同様に、投入金額の総額表示を始め、釣り銭切れ硬貨の金種表示、品切れや販売中止等の表示を表示部６０１にて行うための表示制御を行う以外に、ユーザの誤った操作、受入れ禁止の投入された貨幣の返却を行った場合、適切な操作の案内、もしくは貨幣の返却理由等を示す案内表示を自動販売機主制御部５０１からの指示により一時的に行う。
【００４６】
音声出力制御部７００は、ユーザの誤った操作、受入れ禁止に設定された投入貨幣の返却を行った場合、適切な操作もしくは貨幣の返却理由等をスピーカ７０１にてアナウンスするための音声出力制御を行う。
【００４７】
商品販売制御部８００は、自動販売機主制御部５０１からの制御信号によって、指定された商品８０１を商品取り出し口（図示せず）に誘導して利用者に提供するための商品搬送制御を行う。
【００４８】
なお、有価価値情報読み取り装置３００、認証用カード読み取り装置４００それぞれが独立した構成を示したが、本構成以外に、有価価値記憶カード３０１と認証用カード４０１のそれぞれのカード情報を１枚のカードに集約して運用する一台のカード読み取り装置として構成してもよい。
【００４９】
（コインメックの構成）
次に、コインメック１００の制御構成について説明する。
【００５０】
コインメック１００は、コインメック全体を統括制御するコインメック主制御部１１０に対して、硬貨識別装置１０２、正偽貨振り分け機構１０３、通過センサ１０４、金種振り分け機構１０５、一時貯留機構１１５、収容枚数検出センサ１１８、払出し機構１１９、受入れ禁止設定切替え部１０９、手動切替えスイッチ１２１、受入れ禁止硬貨投入情報出力設定切替え部１２２、コインメック記憶部１２３、コインメック外部接続部１１１がそれぞれ接続した構成によって制御される。
【００５１】
硬貨識別装置１０２は、硬貨投入口１０１から投入された硬貨９１の正偽貨判定を電子的に行い、正貨として判定された硬貨に対しては、金種の識別をさらに行って、識別結果を示す信号をコインメック主制御部１１０に出力する。
【００５２】
受入れ禁止設定切替え部１０９は、コインメック１００における受入れを禁止する金種の設定の切替えを、専用の手動切替えスイッチ１２１にて手動で行うか、もしくは、外部からの切替え信号にて設定の切替えを制御する。
【００５３】
また、受入れ禁止設定切替え部１０９は、金種別の個別設定に優先して、販売中等において全金種の一時的な受入れを禁止する設定および、禁止設定を解除する切替え制御を行う。
【００５４】
正偽貨振り分け機構１０３は、コインメック主制御部１１０からの制御信号により制御されるソレノイドの稼動にて作動するゲート部を有し、受入れが禁止された金種の投入硬貨を硬貨返却口１１７に誘導し、正貨でかつ受入れが許可された金種の硬貨は、通過センサ１０４のある受入通路１１３に誘導する。
【００５５】
通過センサ１０４は、正偽貨振り分け機構１０３によって受入れが許可された硬貨の通過を一枚ずつ検出し、検出信号をコインメック主制御部１１０に出力する。
【００５６】
コインメック主制御部１１０は、通過センサ１０４から出力される検出信号と、硬貨識別装置１０２から出力される金種信号との組合せによって、収容する硬貨を金種別に計数し、同時にコインメック記憶部１２３に記憶した投入金額の総額を更新する。
【００５７】
また、コインメック主制御部１１０は、通過センサ１０４から出力される検出信号を受信するごとに、受入れを行った硬貨の金種情報を含む投入信号をコインメック外部接続部１１１を介して自動販売機主制御部５０１に出力する。
【００５８】
硬貨収容部１１６は、コインメック１００が取り扱う金種の数だけ設けられた金種別チューブ(図示せず)において、所定の枚数分の硬貨を収容する。
【００５９】
金種振り分け機構１０５は、コインメック主制御部１１０から出力される制御信号に基づいて、一時貯留部通路１１４、収容通路１０６、金庫通路１０７への誘導制御を金種別に行う。
【００６０】
これにより、貯留指定された金種は一時貯留機構１１５へ誘導し、貯留指定金種以外の金種のうち、硬貨収容部１１６における収容枚数が上限値に達した金種の硬貨は、金庫１０８（図１においては、都合によりコインメック１００に内設される形で図示したが、実際の自動販売機においては、コインメック１００の下部に隣接して配設される。）に誘導し、それ以外の金種は、硬貨収容部１１６に誘導する。
【００６１】
一時貯留機構１１５は、コインメック主制御部１１０から出力される制御信号に基づいて、貯留指定金種として設定された硬貨を、予め設定された上限枚数まで硬貨を貯留し、それ以上の貯留指定金種の硬貨が受入れられた場合は、返却口通路１１２に誘導して受入れた硬貨を返却する。
【００６２】
また、一時貯留機構１１５は、コインメック主制御部１１０からの制御信号に基づいて貯留した硬貨を返却口通路１１２、もしくは、硬貨収容部１１６に誘導する。
【００６３】
なお、貯留設定を行わないケースにおいても、一部の金種においては所定枚数までは無条件で一時貯留機構１１５へ誘導し、その後受け入れられた硬貨は、先に貯留した硬貨を一枚ずつ硬貨収容部、あるいは、金庫に誘導しつつ順次貯留する制御を行う。
【００６４】
収容枚数検出センサ１１８は、硬貨収容部１１６の金種別チューブ（図示せず）毎に格納された硬貨の枚数をセンサにて監視し、収容上限枚数、釣り銭切れの判定用に予め設定された下限枚数、収容枚数無しの状態を金種毎に検出し、検出した金種とその検出内容を通知するための検出信号をコインメック主制御部１１０に出力する。
【００６５】
コインメック主制御部１１０は、収容枚数検出センサ１１８から出力される検出信号に基づいて、各金種の収容枚数を把握し、例えば、所定枚数以下となった金種の検出信号を受信した場合は、受入れ禁止設定切替え部１０９に対して、釣り銭切れによる受入れを禁止する金種を受入禁止の設定に変更する制御信号を受入れ禁止設定切替え部１０９に出力する。
【００６６】
また、同時に、コインメック主制御部１１０は、釣り銭切れとなった金種の情報を含む釣り銭切れ検出情報をコインメック外部接続部１１１を介して自動販売機主制御部５０１に送信する。
【００６７】
受入れ禁止硬貨投入情報出力設定切替え部１２２は、外部からの信号によって、受入れが禁止された金種の投入検出を、自動販売機主制御部５０１等の外部装置に出力するか否かの設定切替え手段である。
【００６８】
コインメック記憶部１２３は、硬貨識別制御に必要な制御情報として、投入された硬貨の総額、貯留指定硬貨の貯留枚数、貯留上限枚数、受入れ禁止の設定状況、コインメック１００が受入れ禁止を設定した金種の投入検出通知を、自動販売機主制御部５０１等の外部に出力するか否かの設定管理フラグを記憶して管理する。
【００６９】
払出し機構１１９は、指定された金種の硬貨を一枚ずつ硬貨返却口１１７に誘導する払い戻し制御をコインメック主制御部１１０からの制御信号によって行う。
【００７０】
（ビルバリデータの構成）
ビルバリデータ２００は、ビルバリデータ２００全体を統括制御するビルバリデータ制御部２０１に対して、挿入検出部２０２、紙幣識別部２０３、ビルバリデータ外部接続部２０５、搬送制御部２０７がそれぞれ接続された構成によって制御される。
【００７１】
挿入検出部２０２は、紙幣投入口２０８から投入された紙幣９２を検出して検出信号をビルバリデータ制御部２０１に出力する。
【００７２】
紙幣識別部２０３は、投入された紙幣９２の鑑定を行って真券であるか否かを識別し、識別結果を示す信号をビルバリデータ制御部２０１に出力する。
【００７３】
搬送制御部２０７は、ビルバリデータ制御部２０１からの制御信号の種別によって、投入された紙幣９２の一時貯留部２０４への誘導、紙幣投入口２０８への返却、紙幣収容部２０６へ収容を制御する。
【００７４】
ビルバリデータ外部接続部２０５は、シリアル通信ケーブル５０２にて接続される自動販売機主制御部５０１とビルバリデータ制御部２０１との間におけるシリアル通信によるデータ送受信を制御する。
【００７５】
ビルバリデータ外部接続部２０５を介して自動販売機主制御部５０１に出力されるデータは、紙幣９２の投入検出信号および、自動販売機主制御部５０１からの制御に対する応答データがあり、自動販売機主制御部５０１から受信するデータとしては、紙幣の受入れ禁止、受入れ禁止の解除、貯留した紙幣の返却指示、もしくは紙幣収容部２０６への取り込みを指示する制御データ等がある。
【００７６】
（自動販売機の販売処理）
図２は、図１に示した自動販売機５００における商品の販売制御の手順を示したフローチャートである。
【００７７】
自動販売機５００の自動販売機主制御部５０１が検出する処理イベントには、「商品選択」、「貨幣受入れ」、「受入れ禁止設定金種の投入」、「購入取消し」、「認証用カード４０１の読み取り」、「有価価値記憶カード３０１の読み取り」がある。
【００７８】
＜貨幣受入れ操作＞
コインメック１００もしくはビルバリデータ２００から貨幣受入れ情報を受信した場合（ステップＳ１０１でＹＥＳ）、自動販売機主制御部５０１は、受入れた貨幣の額を、自動販売機記憶部５０５に記憶した投入総額情報に加算して投入総額情報を更新する（ステップＳ１０２）。
【００７９】
受入れが禁止された貨幣の投入検出通知を受信した場合（ステップＳ１０３でＹＥＳ）、自動販売機主制御部５０１は、自動販売機記憶部５０５に記憶した、現在の自動販売機５００の処理ステータスからアナウンスする内容を記録した音声ファイルを決定して再生を指示する制御信号を音声出力制御部７００に出力する。
【００８０】
また、表示部６０１へのガイダンス表示が併せて指定されている場合、自動販売機主制御部５０１は、表示用データに基づいて表示部６０１に対するガイダンス表示を指示する制御信号を表示制御部６００に出力する（ステップＳ１０４）。
【００８１】
自動販売機主制御部５０１は、受入れが禁止された貨幣の投入検出通知に含まれる金種情報と、コインメック１００、ビルバリデータ２００の状態を示す各種稼動情報に基づいて作成したログ情報を自動販売機記憶部５０５に記録して蓄積する（ステップＳ１０５）。
【００８２】
＜認証操作＞
認証用カード４０１の読み取り通知を検出した場合（ステップＳ１０６でＹＥＳ）、自動販売機主制御部５０１は、認証用カード４０１の読み取り受付が禁止されているか否かを、自動販売機記憶部５０５の監視フラグに基づいて判断する（ステップＳ１０７）。
【００８３】
既に、成人認証が完了している状態で、認証用カード４０１の読み取りを禁止している場合（ステップＳ１０７でＹＥＳ）、自動販売機主制御部５０１は、認証用カード４０１のカード読み取りデータを廃棄する。
【００８４】
一方、認証用カード４０１の読み取り禁止が解除されている場合（ステップＳ１０８でＮＯ）、自動販売機主制御部５０１は、認証用カード４０１の読み取りデータに基づいて成人認証を行う（ステップＳ１０８）。
【００８５】
成人認証によって、商品の選択および販売が許可されると（ステップＳ１０８でＹＥＳ）、自動販売機主制御部５０１は、自動販売機記憶部５０５の認証フラグを認証済みに更新し、コインメック１００、ビルバリデータ２００それぞれに対して、一時的な貨幣の受入れ禁止を解除する制御信号を出力し、受入れ禁止設定金種以外の貨幣の投入を可能な状態にする（ステップＳ１０９）。
【００８６】
自動販売機主制御部５０１は、認証用カード４０１、有価価値記憶カード３０１の読み取りデータを無効にするための自動販売機記憶部５０５の読み取り禁止フラグを有効による（ステップＳ１１０）。
【００８７】
＜商品選択操作＞
商品選択ボタン５０３の押下による商品選択信号を検出した場合（ステップＳ１１１でＹＥＳ）、自動販売機主制御部５０１は、成人認証が完了しているか否かを自動販売機記憶部５０５の認証フラグに基づいて判断する（ステップＳ１１２）。
【００８８】
成人認証が完了していない場合（ステップＳ１１２でＮＯ）、自動販売機主制御部５０１は、成人認証を行う音声案内を指示する制御信号を音声出力制御部７００に出力し、併せて表示部６０１への表示案内がある場合は、表示制御部６００に出力する（ステップＳ１２０）。
【００８９】
成人認証が完了している場合（ステップＳ１１２でＹＥＳ）、自動販売機主制御部５０１は、商品選択信号にて特定される商品の販売価格と、商品選択信号を受信した時点での投入総額に基づいて、商品の販売が可能であるか否かを判断する（ステップＳ１１３）。
【００９０】
商品の販売が可能である場合（ステップＳ１１３でＹＥＳ）、自動販売機主制御部５０１は、コインメック１００、ビルバリデータ２００それぞれに対して、全金種の一時的な受入れを禁止する制御信号を出力する（ステップＳ１１４）。
【００９１】
また、商品販売制御部８００に対しては、商品選択ボタン５０３の押下により指定される商品を取り出し口（図示せず）に誘導するための制御信号を商品販売制御部８００に出力し、取り出し口への商品の誘導が完了したことを示す応答信号を商品販売制御部８００から受信すると、自動販売機主制御部５０１は、自動販売機記憶部５０５に記憶した投入総額と商品の販売価格に基づいて清算処理を行い（ステップＳ１１５）、釣り銭として支払う金額の有無を判断する（ステップＳ１１６）。
【００９２】
払い戻し金がある場合（ステップＳ１１６でＹＥＳ）、自動販売機主制御部５０１は、払い戻し金額から、返却する金種と金種毎の返却枚数を計算し、計算結果から紙幣と硬貨別の返却数を計算して貨幣の払出しを指示する制御信号をコインメック１００、ビルバリデータ２００にそれぞれ出力する（ステップＳ１１７）。
【００９３】
一方、払い戻し金額が０円の場合（ステップＳ１１６でＮＯ）、自動販売機主制御部５０１は、コインメック１００、ビルバリデータ２００に対して、貯留した貨幣を収容し、全金種の受け入れの禁止設定を解除する制御信号を出力する（ステップＳ１１８）。
【００９４】
また、自動販売機主制御部５０１は、認証用カード読み取り装置４００、有価価値情報読み取り装置３００からの読み取りデータを受付可能にするフラグを自動販売機記憶部５０５に設定する（ステップＳ１１９）。
【００９５】
＜購入取消しボタン押下＞
取消しボタン５０４の押下検出信号を受信した場合（ステップＳ１２１でＹＥＳ）、自動販売機主制御部５０１は、自動販売機記憶部５０５に記憶した投入額等から投入済みの貨幣の有無を判断する（ステップＳ１２２）。
【００９６】
取消しによって返却する貨幣がある場合（ステップＳ１２２でＹＥＳ）、自動販売機主制御部５０１は、投入された貨幣の返却を指示する制御信号をコインメック１００、ビルバリデータ２００それぞれに出力する（ステップＳ１２３）。
【００９７】
＜有価価値記憶カードの検出制御＞
有価価値情報読み取り装置３００から有価価値記憶カード３０１の読み取り信号を受信した場合（ステップＳ１２４でＹＥＳ）、自動販売機主制御部５０１は、自動販売機記憶部５０５に記憶したフラグに基いてカードの読み取りが禁止されているかを判断し（ステップＳ１２５）、読み取りが禁止されていない場合（ステップＳ１２５でＹＥＳ）、有価価値記憶カード３０１に記録された金額情報をカード読み取り信号から抽出し、抽出した金額情報を自動販売機記憶部５０５に記憶した投入総額に加算した金額にて投入総額を更新する（ステップＳ１２６）。
【００９８】
なお、図１においては、受入れが禁止された貨幣の投入検出に関するログを自動販売機主制御部５０１にて採取する構成としたが、ログ記録手段をコインメック１００に設け、コインメック記憶部１２３にログ採取のための記憶容量を確保し、ログを記録する構成にしても良い。
【００９９】
（コインメックの貨幣識別制御）
次に、図１に示した自動販売機５００におけるコインメック１００の硬貨識別制御について説明する。
【０１００】
図３は、コインメックの硬貨識別制御の処理手順を示すフローチャートである。
【０１０１】
硬貨９１が硬貨投入口１０１に投入されると（ステップＳ２０１でＹＥＳ）、硬貨識別装置１０２は、正偽貨の判定および、正貨の場合はその金種の識別を行い、識別信号をコインメック主制御部１１０に出力する（ステップＳ２０２）。
【０１０２】
硬貨識別装置１０２から偽貨判定を示す識別信号を受信した場合（ステップＳ２０２でＮＯ）、コインメック主制御部１１０は、偽貨投入の検出信号を自動販売機主制御部５０１に出力し（ステップＳ２０３）、返却口通路１１２に投入硬貨を誘導する制御信号を正偽貨振り分け機構１０３に出力する（ステップＳ２０９）。
【０１０３】
硬貨識別装置１０２から金種を示す識別信号を受信した場合（ステップＳ２０２でＹＥＳ）、コインメック主制御部１１０は、受入れ禁止設定切替え部１０９からの受入れ禁止設定の状態を示す通知信号とに基づいて、受入れ可能な金種か否かを判断する（ステップＳ２０４）。
【０１０４】
受入れが禁止された金種である場合（ステップＳ２０４でＹＥＳ）、コインメック主制御部１１０は、検出した金種の情報を投入検出情報として自動販売機主制御部５０１に出力するか否かを自動販売機記憶部５０５に記憶した制御情報に基いて判断し（ステップＳ２０７）、投入検出情報を出力する設定がある場合（ステップＳ２０７でＹＥＳ）受入れ禁止金種の投入検出情報を自動販売機主制御部５０１に出力し（ステップＳ２０８）、投入された硬貨を返却口通路１１２に誘導する制御信号を正偽貨振り分け機構１０３に出力する（ステップＳ２０９）。
【０１０５】
受入れが可能な金種である場合（ステップＳ２０４でＮＯ）、コインメック主制御部１１０は、受入れを行った硬貨の金種が、コインメック記憶部１２３に記憶した貯留設定情報の貯留指定金種と一致するかを判定して貯留の要否を判断する（ステップＳ２０５）。
【０１０６】
（貯留上限枚数超過）
貯留指定金種であって、かつ、貯留済みの枚数が上限値に達している場合（ステップＳ２０６でＹＥＳ）、コインメック主制御部１１０は、検出した金種の情報を投入検出情報として自動販売機主制御部５０１に出力するか否かを判断し（ステップＳ２０７）、投入検出情報を出力する設定がある場合（ステップＳ２０７でＹＥＳ）、コインメック主制御部１１０は、貯留指定硬貨の貯留上限枚数超過による硬貨の受入れ禁止設定を示す制御信号を受入れ禁止設定切替え部１０９に出力し、コインメック主制御部１１０は、貯留上限枚数の超過による貯留指定金種の受入れを禁止する制御信号を自動販売機主制御部５０１に出力し（ステップＳ２０８）、投入された硬貨を返却口通路１１２に誘導する制御信号を正偽貨振り分け機構１０３に出力する（ステップＳ２０９）。
【０１０７】
（貯留指定硬貨）
貯留指定金種であって、かつ、貯留済みの枚数が上限値に達していない場合（ステップＳ２０６でＮＯ）、コインメック主制御部１１０は、投入された硬貨を一時貯留機構１１５に誘導する制御信号を金種振り分け機構１０５に出力する（ステップＳ２１０）。
【０１０８】
（収容部への誘導／金庫への誘導）
一方、受入れ硬貨の金種が貯留指定金種でなく、かつ、硬貨収容部１１６の金種別のチューブに収容可能である場合（ステップＳ２０５でＮＯ）、コインメック主制御部１１０は、収容通路１０６に受入れ硬貨を誘導する制御信号を金種振り分け機構１０５に出力し、また、貯留指定金種以外の硬貨であり、かつ、硬貨収容部１１６における収容枚数が上限値に達している場合、コインメック主制御部１１０は、受入れた硬貨を金庫１０８に誘導する制御信号を金種振り分け機構１０５に出力する（ステップＳ２１１）。
【０１０９】
収容部１１６、金庫１０８に硬貨を収容した場合は、コインメック主制御部１１０は貨幣の収容信号として、収容した金種の情報をコインメック記憶部１２３に記録するとともに、自動販売機主制御部５０１に出力する（ステップＳ２１２）。
【０１１０】
（取消しボタンによる受入硬貨の返却）
取消しボタンによる手動返却によって投入された貨幣の払い戻しを指示する自動販売機主制御部５０１からの制御信号をコインメック外部接続部１１１を介して受信した場合（ステップＳ２１３でＹＥＳ）、コインメック主制御部１１０は、一時貯留機構１１５に貯留した硬貨を返却口１１７へ全て誘導する制御信号を一時貯留機構１１５に出力し、コインメック記憶部１２３に記憶した投入総額から貯留硬貨の金額を除いた額にて金種毎の払い戻し枚数を決定し、決定した枚数の払い戻しを金種別に指示する制御信号を払出し機構１１９に出力する（ステップＳ２１４）。
【０１１１】
（払い戻し）
一方、販売完了信号もしくは払い戻しを指示する制御信号を自動販売機主制御部５０１から受信した場合（ステップＳ２１５でＹＥＳ）、コインメック主制御部１１０は、指定された払い戻し額から金種毎の返却枚数を計算し、計算した結果に基づいて硬貨の返却を指示する制御信号を払出し機構１１９に出力する（ステップＳ２１６）。
【０１１２】
（全金種の一時的な受入れ禁止の指示）
全金種の一時的な受入れ禁止／受入れ禁止解除を指示する制御信号を自動販売機主制御部５０１から受信した場合（ステップＳ２１７でＹＥＳ）、コインメック主制御部１１０は、全金種の受入れを一時的に禁止／解除する制御信号を受入れ禁止設定切替え部１０９に出力する（ステップＳ２１８）。
【０１１３】
（釣り銭切れ）
釣り銭切れが発生した金種の検出信号を収容枚数検出センサ１１８から受信した場合（ステップＳ２１９でＹＥＳ）、コインメック主制御部１１０は、釣り銭切れとなった金種から受入れを禁止する金種を決定して受入れ禁止設定に変更する制御信号を受入れ禁止設定切替え部１０９に出力する（ステップＳ２２０）。
【０１１４】
＜ビルバリデータによる紙幣識別制御＞
次に、ビルバリデータにおける紙幣の識別制御について説明する。
【０１１５】
図４は、ビルバリデータにおける紙幣識別制御の処理手順を示したフローチャートである。
【０１１６】
紙幣投入口２０８への紙幣挿入検出信号を挿入検出部２０２から受信すると（ステップＳ３０１でＹＥＳ）、ビルバリデータ制御部２０１は、ビルバリデータ記憶部２０９の受入れ禁止の設定内容を参照し、紙幣９２の受入れが可能であるか否かを判断する（ステップＳ３０２）。
【０１１７】
紙幣の受入れが禁止されている場合（ステップＳ３０２でＹＥＳ）、ビルバリデータ制御部２０１は、投入された貨幣を紙幣投入口２０８に搬送する制御信号を搬送制御部２０７に出力し（ステップＳ３０４）、真券以外の紙幣が投入されたことを示す検出信号を自動販売機主制御部５０１に出力する（ステップＳ３０５）。
【０１１８】
紙幣の受入れが可能である場合（ステップＳ３０２でＮＯ）、ビルバリデータ制御部２０１は投入された貨幣を一時貯留部２０４まで搬送する制御信号を搬送制御部２０７に対して出力し、紙幣識別部２０３は、搬送された紙幣が真券であるか否かの識別を行い、識別結果を識別信号としてビルバリデータ制御部２０１に出力する（ステップＳ３０３）。
【０１１９】
紙幣識別部２０３から受信した識別信号が真券でない場合（ステップＳ３０３でＮＯ）、ビルバリデータ制御部２０１は、投入した紙幣を紙幣投入口２０８に返却するための制御信号を搬送制御部２０７に出力し（ステップＳ３０４）、受入れが禁止された紙幣の投入検出信号を自動販売機主制御部５０１に出力する（ステップＳ３０５）。
【０１２０】
紙幣識別部２０３から受信した識別信号が真券の場合（ステップＳ３０３でＹＥＳ）、ビルバリデータ制御部２０１は投入された貨幣を一時貯留部２０４まで搬送する制御信号を搬送制御部２０７に対して出力し（ステップＳ３０６）、紙幣受入れを通知する紙幣投入信号を自動販売機主制御部５０１に出力し（ステップＳ３０７）、ビルバリデータ記憶部２０９の受入れ禁止フラグを有効にする（ステップＳ３０８）。
【０１２１】
自動販売機主制御部５０１から貯留した紙幣の返却を指示する制御信号を受信した場合（ステップＳ３０９でＹＥＳ）、ビルバリデータ制御部２０１は、貯留した紙幣を紙幣投入口２０８に返却する制御信号を搬送制御部２０７に出力し、ビルバリデータ記憶部２０９の受入れ禁止フラグを無効にして紙幣の受入れをを可能な状態にする（ステップＳ３１０）。
【０１２２】
販売完了に伴う紙幣の収容を指示する制御信号を自動販売機主制御部５０１から受信した場合（ステップＳ３１１でＹＥＳ）、ビルバリデータ制御部２０１は、貯留した貨幣を紙幣収容部２０６に搬送する制御信号を搬送制御部２０７に出力し、ビルバリデータ記憶部２０９の受入れ禁止フラグを無効にする（ステップＳ３１２）。
【０１２３】
自動販売機主制御部５０１から一時的な紙幣の受入れを禁止する制御信号を受信した場合（ステップＳ３１３でＹＥＳ）、ビルバリデータ制御部２０１は、ビルバリデータ記憶部２０９の受入れ禁止フラグを有効にする（ステップＳ３１４）。
【０１２４】
自動販売機主制御部５０１から一時的な紙幣の受入れを解除する制御信号を受信した場合（ステップＳ３１５でＹＥＳ）、ビルバリデータ制御部２０１は、ビルバリデータ記憶部２０９の貯留済みフラグを参照し一時貯留部２０４に貯留した紙幣の有無を判断し（ステップＳ３１６）、貯留紙幣が無い場合（ステップＳ３１６でＮＯ）、自動販売機主制御部５０１は、ビルバリデータ記憶部２０９の受入れ禁止フラグを無効にする（ステップＳ３１７）。
【０１２５】
なお、ステップＳ３０９、ステップＳ３１１において、ビルバリデータ２００が紙幣を貯留してない場合、ビルバリデータ制御部２０１は、貯留紙幣の返却指示、紙幣の収容指示を廃棄して、貯留紙幣が無いことを自動販売機主制御部５０１に通知する。
【実施例２】
【０１２６】
次に、本発明に係わる自動販売機の第２の制御構成を示して説明する。
【０１２７】
図５は、実施例１に示した、自動販売機制御部５０１によるログ採取機能と、音声出力制御部、表示制御部によるガイダンス機能を、外部接続部に接続した外部端末からの制御データに基いて制御するアダプタ装置９００を有する自動販売機の制御構成を示したブロック図である。
【０１２８】
コインメック１００は、自動販売機主制御部５０１以外の外部装置とシリアルデータ通信を行うための別の外部接続部１１１−１を有してアダプタ装置９００に接続し、アダプタ装置に対して制御データを出力する。
【０１２９】
アダプタ装置９００に出力される制御データは、ログ採取処理、ガイダンス処理を指示する２つの制御データがある。
【０１３０】
ログ採取を指示する制御データには、アダプタ装置９００にて定義されたデータフォーマットにしたがって、ログ採取に必要な各種の検出情報が設定される。
【０１３１】
また、ガイダンス処理を指示する制御データは、アダプタ装置９００側にて定義されたガイダンスの種別毎に割り当てられた固有の識別情報が所定のデータフォーマットに基いて設定される。
【０１３２】
アダプタ装置９００は、アダプタ装置９００全体を統括制御するアダプタ装置制御部９０５に、アダプタ装置外部接続部９０１、ガイダンス制御部９０２、ガイダンス用出力端子９０３、アダプタ装置記憶部９０４がそれぞれ接続された構成にて制御される。
【０１３３】
アダプタ装置外部接続部９０１は、コインメック外部接続部１１１−１との間において、シリアルデータ通信を行い制御用データの送受信制御を行う。
【０１３４】
アダプタ装置記憶部９０４は、ログ作成プログラム、音声ファイルの再生、ガイダンス表示を制御するガイダンス制御プログラム、再生用の音声ファイル、表示用データを記憶して管理する。
【０１３５】
また、ダプタ装置記憶部９０４は、アダプタ装置外部接続部９０１を介して受信した制御データに設定されるガイダンスの種別毎の識別情報に対応する再生用の音声ファイル、表示用データの識別情報の組を変換テーブル等に予め記憶して管理する。
【０１３６】
アダプタ装置制御部９０５は、アダプタ装置外部接続部９０１から受信した制御データが、受入禁止設定金種の投入検出通知等をはじめとするログ採取を指示する制御データである場合、アダプタ装置記憶部９０４に記憶したログ採取制御プログラムを実行してログデータを生成してアダプタ装置記憶９０４に蓄積して記憶する。
【０１３７】
ガイダンス制御部９０２は、アダプタ装置外部接続部９０１から受信した制御情報にて指定されたガイダンス種別の識別情報に対応する音声ファイル、表示用データを、アダプタ装置記憶部９０４に記憶した変換テーブルに基いて特定し、ガイダンス用出力端子９０３に接続された、スピーカに対する音声信号の生成出力制御、ガイダンス用出力端子９０３に接続された表示装置に対する表示制御データの生成出力制御を行う。
【０１３８】
なお、自動販売機５００が、複数のコインメックを有した構成の場合や、実施例１に示した、ビルバリデータ２００を併用した構成を有する場合、これらの貨幣識別装置に個別に接続するための外部接続部を複数設けた構成にし、接続されたコインメック、ビルバリデータから出力される所定の制御データに基いてログ採取処理、ガイダンス処理を制御するようにしても良い。
【０１３９】
また、自動販売機５００が複数の貨幣識別装置を有する制御構成の場合は、アダプタ装置９００によって制御可能なガイダンス処理の種別に対応する制御データを生成して出力する手段を自動販売機主制御部５０１側に追加し、アダプタ装置９００は、自動販売機主制御部５０１用の外部接続端子にて受信した制御データに基いてガイダンス処理を行う構成にしてもよい。
【産業上の利用可能性】
【０１４０】
本発明は、以下に示す自動販売機において利用可能である。
【０１４１】
（１）受入れが禁止された貨幣もしくは有価価値を記録したカードの返却による利用者の混乱を防止し、適切な購入操作を促すことで商品の販売機会を極力確保することが求められる自動販売機。
【０１４２】
（２）利用者に対して適切な購入操作を積極的に支援する盲人向けサービス等が要求される自動販売機。
【０１４３】
（３）故障解析を迅速かつ容易にする手段として、偽貨、異物等の投入、受入れが禁止された金種の投入に関する履歴情報を記録することが要求される自動販売機。
【図面の簡単な説明】
【０１４４】
【図１】自動販売機の第１の制御構成を示すブロック図である。
【図２】自動販売機における販売処理の手順を示すフローチャートである。
【図３】コインメックにおける硬貨識別制御を示すフローチャートである。
【図４】ビルバリデータにおける紙幣識別制御を示すフローチャートである。
【図５】自動販売機の第２の制御構成を示すブロック図である。
【符号の説明】
【０１４５】
９１    硬貨
９２    紙幣
１００    コインメック
１０１    硬貨投入口
１０２    硬貨識別装置
１０３    正偽貨振り分け機構
１０４    通過センサ
１０５    金種振り分け機構
１０６    収容通路
１０７    金庫通路
１０８    金庫
１０９    受入れ禁止設定切替え部
１１０    コインメック主制御部
１１１    コインメック外部接続部
１１１−１    コインメック外部接続端子
１１２    返却口通路
１１３    受入通路
１１４    一時貯留部通路
１１５    一時貯留機構
１１６    硬貨収容部
１１７    硬貨返却口
１１８    収容枚数検出センサ
１１９    払出し機構
１２１    手動切替えスイッチ
１２２    受入れ禁止硬貨投入情報出力設定切替え部
１２３    コインメック記憶部
２００    ビルバリデータ
２０１    ビルバリデータ制御部
２０２    挿入検出部
２０３    紙幣識別部
２０４    一時貯留部
２０５    ビルバリデータ外部接続部
２０６    紙幣収容部
２０７    搬送制御部
２０８    紙幣投入口
２０９    ビルバリデータ記憶部
３００    有価価値情報読み取り装置
３０１    有価価値記憶カード
４００    認証用カード読み取り装置
４０１    認証用カード
５００    自動販売機
５０１    自動販売機主制御部
５０２    シリアル通信用ケーブル
５０３    商品選択ボタン
５０４    取消しボタン
５０５    自動販売機記憶部
６００    表示制御部
６０１    表示部
７００    音声出力制御部
７０１    スピーカ
８００    商品販売制御部
８０１    商品
９００    アダプタ装置
９０１    アダプタ装置外部接続部
９０２    ガイダンス制御部
９０３    ガイダンス用出力端子
９０４    アダプタ装置記憶部
９０５    アダプタ装置制御部
【図１】
2006011530.tif 000003
【図２】
2006011530.tif 000004
【図３】
2006011530.tif 000005
【図４】
2006011530.tif 000006
【図５】
2006011530.tif 000007